(57)【特許請求の範囲】
【請求項１】
金属製平板のみから成り、該金属製平板が、その少なくとも一つの面に、該平板内部に形成された、互いに略平行な複数の溝を備え、該金属製平板が、上記の互いに略平行な複数の溝の長さ方向に沿って折り曲げ可能であり、かつ、上記の互いに略平行な複数の溝が、その中に絶縁されたヒーター線をはめ込み可能に形成されている電熱ヒーター用基板において、上記電熱ヒーター用基板を、現場での加熱及び保温の取付け施工に際して、現場で配管及び機器に合せて折り曲げ、次いで、上記ヒーター線を、現場で上記溝にはめ込む、電熱ヒーター用基板の使用方法。
【請求項２】
一つの面に備えられる、互いに略平行な複数の溝の直径が略同一である、請求項１記載の電熱ヒーター用基板の使用方法。
【請求項３】
上記の互いに略平行な複数の溝が、上記の金属製平板の相対する二つの面に備えられており、かつ、該金属製平板の一方の面に備えられている溝の直径と他方の面に備えられている溝の直径とが互いに異なる、請求項１又は２記載の電熱ヒーター用基板の使用方法。
【請求項４】
上記の金属製平板の面に備えられている溝の直径が、０．８〜５．０ｍｍの範囲から選ばれる、請求項１〜３のいずれか一つに記載の電熱ヒーター用基板の使用方法。
【請求項５】
上記の金属製平板の一方の面に備えられている溝の直径が、１．８〜２．０ｍｍであり、他方の面に備えられている溝の直径が２．６〜２．８ｍｍである、請求項３記載の電熱ヒーター用基板の使用方法。
【請求項６】
上記の金属製平板が、上記の複数の溝の長さ方向に略平行な金属製平板端部で、該金属製平板同士を水平及び垂直方向のいずれにも接続可能に形成されている、請求項１〜５のいずれか一つに記載の電熱ヒーター用基板の使用方法。
【請求項７】
上記の金属製平板がアルミニウム又はアルミニウム合金製である、請求項１〜６のいずれか一つに記載の電熱ヒーター用基板の使用方法。
【発明の詳細な説明】
【技術分野】
【０００１】
本発明は、電熱ヒーター用基板に関し、更に詳しくは、主として、半導体製造装置等の配管及び機器を加熱するために使用する電熱ヒーター用基板に関する。
【背景技術】
【０００２】
電熱ヒーターは、高温を必要とする機器及び配管を加熱又は保温するために使用されるものであり、例えば、マントルヒーター、リボンヒーター又はジャケットヒーター等が知られている。そして、近年、非常に多くの分野で使用されるようになり、とりわけ、半導体製造装置等では非常に高度な要求がされるようになってきている。
【０００３】
第一に、加熱の均一性が強く要求されるようになり、発熱量の小さなヒーター線を緻密に配列することが要求された。特許文献１には、この問題を解決した電熱ヒーターが記載されている。図１４に示すように、特許文献１に記載されたヒーター線１３０は、ニクロム線１３１の表面にセラミック繊維からなるフェルト状の第１の被覆層１３２を形成し、その表面にセラミック繊維の編物等からなる第２の被覆層１３３を形成したものである。このヒーター線１３０は、絶縁性に優れていると共に柔軟性に富んでいるために、小さな曲げ半径で折り曲げることが可能である。
【０００４】
また、図１５に示すように、特許文献１に記載された電熱ヒーター１１０は、シート状の基材１２０の表面にヒーター線１３０を所定の形状で配列して固定糸１２１で固定し、これを断熱材１４０と共にカバー部材１５０に納めて構成している。ヒーター線１３０は、絶縁性と柔軟性に富んでいるために緻密な配列をすることが可能であり、このため加熱の均一性に優れたヒーターとすることができる。
【０００５】
更に、図１５に示すような平面形状ではなく、対象物の形状に合わせた形状とすることにより、加熱の均一性を一層高めることが要求された。特許文献２には、配管、継手、弁等の加熱や保温を目的として、対象物の外観形状に対応する形状に加工した電熱ヒーターが記載されている。例えば、図１６に示す電熱ヒーター１１０は配管用であり、基材１２０にヒーター線１３０を取り付けて断熱材１４０と共にカバー部材１５０に納めた構成は図１５と同様であるが、全体が配管の形状に対応するように加工されているので加熱の均一性が一層高められている。
【０００６】
第二に、電熱ヒーターから発生するパーティクルを低減することが強く要求されるようになった。図１５に示すように、電熱ヒーター１１０を構成している基材１２０、固定糸１２１、断熱材１４０等は、電気絶縁性及び耐熱性を必要とするために、セラミック繊維等の織物やフェルトが用いられ、パーティクルの発生が非常に多い材料である。このため、これらを収納するカバー部材１５０については、パーティクルの発生が少ない材料とすることが要求された。
【０００７】
特許文献３には、この問題を解決した電熱ヒーターが記載され、カバー部材の材料としてフッ素樹脂繊維又は芳香族ナイロン繊維を使用することが記載されている。また、多孔質のフッ素樹脂フィルムを使用することが記載されている。これらの材料は、耐熱性、電気絶縁性、柔軟性、安全性を備えると共に、物理的な耐久性を備えて破損し難いために、低発塵性の材料として使用することができる。
【０００８】
また、特許文献４には、金属製の配管部材等に適用して着脱を繰り返しても破損しない十分な強度を有し、パーティクルが発生することもない電熱ヒーターが記載されている。そして、カバー部材の材質として、加熱面にはＰＢＯ繊維を、側面及び背面には芳香族ナイロン繊維を使用することが記載されている。
【０００９】
このように、電熱ヒーターは高度に精密な形態で製作されることとなった。しかしながら、半導体製造装置等における配管は、通常、狭い空間に複雑に入り込んだ配管であり、正確な配管図面が存在しない場合が多い。このために、設計者が現場に赴いて複雑な配管をスケッチして、詳細な採寸を行わなければならない。特に、配管の途中にある継手、バルブ等の位置を正確に採寸すると共に、ステー等の障害物についても入念に採寸する必要がある。この結果、電熱ヒーターの設計段階で多大な費用が発生することになる。
【００１０】
製造工程においても、標準化することができず、一品ごとに異なる図面に従って製造することとなるために、多大な労力を必要とすることになる。また、図１６に示すように、電熱ヒーター１１０を立体的な一体形状とするために、断熱材１４０及びカバー部材１５０等の寸法取り、裁断、縫合等の作業が、非常に複雑な作業となり、多大な労力を費やすことになる。さらに、製品の確認や検査等における労力も多大となる。この結果、製造段階でも多大な費用が発生することになる。
【００１１】
すなわち、現在の状況下では、電熱ヒーターを標準化することは困難であり、客先からの依頼を受けた後に、設計及び製作を行なわざるを得ないという問題がある。そして、設計段階及び製造段階における多大な労力は、多大なコストの発生となるのみならず、製品の納期に多大な期間を必要とするという問題がある。
【００１２】
そこで、本発明者は、特許文献５において、シート状の基材、該基材の表面又はその近傍に配列されたヒーター線、及びこれらを収納するヒーターカバーを備える加熱部と、断熱材及びこれを収納する断熱材カバーを備える保温部とを有する電熱ヒーターにおいて、前記加熱部が、切り込み可能な切込部を備えている電熱ヒーターを提案した。該電熱ヒーターによれば、現場において、適宜、切込部を切断することにより、半導体製造装置等における複雑な配管等に対応可能である故、現場における複雑なスケッチ作業や採寸作業をする必要がなく設計工程を簡略化することができる。従って、電熱ヒーターを標準化して在庫可能な商品とすることができる。それに伴って、設計及び製造コストも低減でき、かつ納期も短縮することができる。このように、特許文献５記載の電熱ヒーターによれば、従来の問題点を大きく改善することができた。しかし、それで十分と言うものではなかった。
【先行技術文献】
【特許文献】
【００１３】
【特許文献１】特開２００３−３４７０１７号公報
【特許文献２】特開２００２−２９５７８３号公報
【特許文献３】特開２００４−１８５９１０号公報
【特許文献４】特開２００５−１６６３５２号公報
【特許文献５】特開２００９−１９９９６７号公報
【発明の概要】
【発明が解決しようとする課題】
【００１４】
本発明は、予め電熱ヒーターとして組み立てる必要がなく、別個に、電熱ヒーターの要素、例えば、ヒーター線、断熱材、カバー部材等を準備して、現場で組み立て得ることから、複雑な配管、装置等の加熱及び保温に容易かつ適切に対応可能であり、現場での取付け施工を著しく簡便化し得るばかりではなく、自体簡単な形状であり、かつ、用途に応じて、他の電熱ヒーターの要素を適切に選択し得ることから、加熱及び保温に要する設計、施工及び製造コストを著しく低減し得る電熱ヒーター用基板を提供するものである。
【課題を解決するための手段】
【００１５】
本発明者は、特許文献５記載の電熱ヒーターを改良すべく、更なる検討を試みた。特許文献５記載の電熱ヒーターは、加熱部が切り込み可能な切込部を備えていることにより、複雑な配管、装置等の加熱及び保温においても、該切込部を適宜切断することにより、効率よく対応することができる。その一方、該電熱ヒーターは一体型に形成されており、また、所定の位置に切込部を設ける必要があることから、従来品に比べれば製造コスト、設置コスト等を低減し得るとはいうものの、改善の余地がないわけではなかった。また、実際の配管等に設置した際、不要な切込部分が存在したりする等、改善を必要とする問題も存在していた。そこで、本発明者は、このような一体型の電熱ヒーターと言う既存の考えから脱却し、電熱ヒーター用基板、ヒーター線、保温材等の個々の要素を、夫々、別々に提供できれば、そして、これらの要素の全て、とりわけ、電熱ヒーター用基板を標準化できれば、これら要素を予め一体型に組み立てて電熱ヒーターとして提供する必要はなく、現場で、実際の配管、装置等に合わせて、適宜、これらの要素を選択して組立てることにより電熱ヒーターとすることができ、作業性、並びに、設計、施工及び製造コスト等を著しく低減し得るのではないかという観点に立って、本発明を完成したのである。
【００１６】
即ち、本発明は、
（１）金属製平板のみから成り、該金属製平板が、その少なくとも一つの面に、該平板内部に形成された、互いに略平行な複数の溝を備え、該金属製平板が、上記の互いに略平行な複数の溝の長さ方向に沿って折り曲げ可能であり、かつ、上記の互いに略平行な複数の溝が、その中に絶縁されたヒーター線をはめ込み可能に形成されている電熱ヒーター用基板において、上記電熱ヒーター用基板を、現場での加熱及び保温の取付け施工に際して、現場で配管及び機器に合せて折り曲げ、次いで、上記ヒーター線を、現場で上記溝にはめ込む、電熱ヒーター用基板の使用方法である。
【００１７】
好ましい態様として、
（２）一つの面に備えられる、互いに略平行な複数の溝の直径が略同一である、上記（１）記載の電熱ヒーター用基板の使用方法、
（３）上記の互いに略平行な複数の溝が、上記の金属製平板の相対する二つの面に備えられている、上記（１）又は（２）記載の電熱ヒーター用基板の使用方法、
（４）上記の金属製平板の一方の面に備えられている溝の直径と他方の面に備えられている溝の直径とが互いに異なる、上記（３）記載の電熱ヒーター用基板の使用方法、
（５）上記の金属製平板の面に備えられている溝の直径が、０．８〜５．０ｍｍの範囲から選ばれる、上記（１）〜（４）のいずれか一つに記載の電熱ヒーター用基板の使用方法、
（６）上記の金属製平板の面に備えられている溝の直径が、１．８〜２．８ｍｍの範囲から選ばれる、上記（１）〜（４）のいずれか一つに記載の電熱ヒーター用基板の使用方法、
（７）上記の金属製平板の一方の面に備えられている溝の直径が、１．８〜２．０ｍｍであり、他方の面に備えられている溝の直径が２．６〜２．８ｍｍである、上記（３）又は（４）記載の電熱ヒーター用基板の使用方法、
（８）上記の金属製平板が長方形又は正方形である、上記（１）〜（７）のいずれか一つに記載の電熱ヒーター用基板の使用方法、
（９）上記の金属製平板がアルミニウム又はアルミニウム合金製である、上記（１）〜（８）のいずれか一つに記載の電熱ヒーター用基板の使用方法、
（１０）上記の金属製平板が、上記の複数の溝の長さ方向に略平行な金属製平板端部で、該金属製平板同士を水平及び垂直方向のいずれにも接続可能に形成されている、上記（１）〜（９）のいずれか一つに記載の電熱ヒーター用基板の使用方法、
（１１）上記の互いに略平行な複数の溝をその長さ方向に垂直な面で切断したときの溝の断面が、略Ｕ字形又は略半円形である、上記（１）〜（１０）のいずれか一つに記載の電熱ヒーター用基板の使用方法、
（１２）上記の金属製平板の厚さが２．０〜１２．０ｍｍである、上記（１）〜（１１）のいずれか一つに記載の電熱ヒーター用基板の使用方法、
（１３）上記の金属製平板の厚さが３．０〜８．０ｍｍである、上記（１）〜（１１）のいずれか一つに記載の電熱ヒーター用基板の使用方法、
（１４）上記の金属製平板の厚さが４．０〜６．０ｍｍである、上記（１）〜（１１）のいずれか一つに記載の電熱ヒーター用基板の使用方法、
（１５）上記の金属製平板の、溝に垂直な方向の全長（幅）が５０〜３００ｍｍである、上記（１）〜（１４）のいずれか一つに記載の電熱ヒーター用基板の使用方法、
（１６）上記の金属製平板の幅が７０〜２００ｍｍである、上記（１）〜（１４）のいずれか一つに記載の電熱ヒーター用基板の使用方法、
（１７）上記の金属製平板の幅が９０〜１００ｍｍである、上記（１）〜（１４）のいずれか一つに記載の電熱ヒーター用基板の使用方法、
（１８）上記の金属製平板の、溝に水平な方向の全長（長さ）が、３，０００ｍｍ以下である、上記（１）〜（１７）のいずれか一つに記載の電熱ヒーター用基板の使用方法、
（１９）上記の金属製平板の長さが、１，５００〜２，５００ｍｍである、上記（１）〜（１７）のいずれか一つに記載の電熱ヒーター用基板の使用方法、
（２０）上記の金属製平板の長さが、１，９００〜２，１００ｍｍである、上記（１）〜（１７）のいずれか一つに記載の電熱ヒーター用基板の使用方法
を挙げることができる。
【００１８】
従来、プレートヒーター（スペースヒーター）は、金属製の厚板、例えば、アルミニウム製又はアルミニウム合金製の厚板をドリル等で切削して穴を空け、この穴に棒状の電熱ヒーターを差し込むことにより製造していた。しかし、ドリルでの切削により穴を空ける方法では、その穴の長さに限界があるばかりではなく、該方法によれば、相当の製造コストが必要であり、結局、プレートヒーターの価格に該コストを転嫁せざるを得なかった。そこで、本発明者は、上記の電熱ヒーター用基板をプレートヒーターとして使用できないかを鋭意検討した。その結果、上記の電熱ヒーター用基板の互いに略平行な複数の溝に絶縁されたヒーター線をはめ込み、そして、その面上、また、必要に応じて反対の面上に、金属製平板を設置すれば、上記の互いに略平行な複数の溝を備える電熱ヒーター用基板は、押出成型で容易に作製し得ることから、従来品のようにドリルで切削して穴を空けることなく、簡便かつ著しく安価にプレートヒーターを製造し得ることを見出した。また、押出成型であることから、穴の長さも、ドリル切削で穴を空ける方法に存在するような限界もない。
【００１９】
本発明は、また、
（２１）互いに略平行な複数の溝に絶縁されたヒーター線がはめ込まれている、上記（１）〜（２０）のいずれか一つに記載の電熱ヒーター用基板の、ヒーター線がはめ込まれている側の面及び／又は該面と反対側の面に、金属製平板が備えられてなるプレートヒーターである。
【００２０】
好ましい態様として、
（２２）上記電熱ヒーター用基板上に備えられる金属製平板が電熱ヒーター用基板と接する面と、該金属製平板が備えられる電熱ヒーター用基板面とが略一致している、上記（２１）記載のプレートヒーター、
（２３）上記電熱ヒーター用基板上に備えられる金属製平板の厚さが、２．０〜３０．０ｍｍである、上記（２１）又は（２２）記載のプレートヒーター、
（２４）上記電熱ヒーター用基板上に備えられる金属製平板の厚さが、５．０〜２０．０ｍｍである、上記（２１）又は（２２）記載のプレートヒーター、
（２５）上記電熱ヒーター用基板上に備えられる金属製平板が、アルミニウム又はアルミニウム合金製である、上記（２１）〜（２４）のいずれか一つに記載のプレートヒーター
を挙げることができる。
【発明の効果】
【００２１】
本発明の電熱ヒーター用基板は、その中に絶縁されたヒーター線をはめ込むことができる互いに略平行な複数の溝を備えており、かつ、該基板は、該溝の長さ方向に沿って折り曲げ可能であることから、現場において、加熱又は保温すべき配管及び機器等に合わせて、配管及び機器等に該基板を巻き付け、そして、加熱又は保温に必要な熱量を与えるように、該基板上に備えられた複数の溝に、絶縁されたヒーター線を、適宜、はめ込むことができる。従って、配管及び機器等を適切に加熱又は保温することができ、現場での取付け施工を著しく簡便化し得る。また、実際の装置においては使用される配管径は限定される故、予めそれに適合する基板を準備する等、規格化が容易である。加えて、従来の電熱ヒーターのように一体型ではなく、電熱ヒーターを構成する要素ごとに保管及び提供して、その場で組み立て可能であることから、作業性、並びに、製造及び設置コスト等を著しく改善し得る。また、溝の直径を、市販の絶縁されたヒーター線がはめ込み可能に設計すれば、市販の絶縁されたヒーター線を効果的に使用することができ、更なる、コスト削減を達成することができる。好ましくは、本発明の電熱ヒーター用基板は、基板の相対する二つの面、即ち、表裏両面に、好ましくは、直径の異なる溝を備えることができる。これにより、配管及び機器等の加熱又は保温に必要な熱量に合わせて、いずれかの直径の溝を選ぶことができ、そして、その溝に適合する絶縁されたヒーター線をはめ込むことにより、より適切かつ簡便に、配管等の加熱又は保温を達成することができる。加えて、本発明の電熱ヒーター用基板は、金属製平板より成ることから、例えば、半導体製造において低減することを強く要求されているパーティクルの発生がない。また、本発明の電熱ヒーター用基板を使用すれば、簡便かつ著しく安価にプレートヒーターを製造することができる。
【図面の簡単な説明】
【００２２】
【図１】図１は、本発明の電熱ヒーター用基板の一実施態様を示した平面図（ａ）及びそのＡ−Ａ断面図（ｂ）である。
【図２】図２は、図１に示した電熱ヒーター用基板のＡ−Ａ断面図の部分拡大図である。
【図３】図３は、本発明の電熱ヒーター用基板を構成する金属製平板に備えられた互いに略平行な複数の溝に絶縁されたヒーター線をはめ込んだ状態の平面図（ａ）及びそのＢ−Ｂ断面図（ｂ）である。
【図４】図４は、本発明の電熱ヒーター用基板の他の一実施態様を示した平面図（ａ）、底面図（ｂ）及びＣ−Ｃ断面図（ｃ）である。
【図５】図５は、図４に示した電熱ヒーター用基板（Ａ）のＣ−Ｃ断面図（ｃ）の部分拡大図である。
【図６】図６は、電熱ヒーター用基板の一方の端部と他方の端部の一実施態様の概略を示した図である。
【図７】図７は、二枚の電熱ヒーター用基板を水平方向に接続したとき（ａ）と垂直方向に接続したとき（ｂ）の概略図である。
【図８】図８は、水平方向に接続した、二枚の電熱ヒーター用基板を、ストッパーを使用して固定した状態を示す概略図である。
【図９】図９は、電熱ヒーター用基板を配管に巻き付ける状態を示す概略図である。
【図１０】図１０は、溝と溝とを隔てる部分が取り除かれた電熱ヒーター用基板に絶縁されたヒーター線をはめ込んだ状態の平面図である。
【図１１】図１１は、ヒーター線保護カバー（ａ）及びそれを電熱ヒーター用基板に装着したとき（ｂ）の概略図である。
【図１２】図１２は、電熱ヒーター用基板を直角方向に接続したときに使用するヒーター線保護カバー（ａ）及びそれを電熱ヒーター用基板に装着したとき（ｂ）の概略図である。
【図１３】図１３は、本発明のプレートヒーターの一実施態様の断面を示す概略図である。
【図１４】図１４は、ヒーター線の例を示す概略斜視図である。
【図１５】図１５は、従来の電熱ヒーターの一例を示す概略斜視図である。
【図１６】図１６は、従来の電熱ヒーターの他の例を示す概略斜視図である。
【発明を実施するための形態】
【００２３】
本発明の電熱ヒーター用基板の一実施態様の平面図（ａ）及びそのＡ−Ａ断面図（ｂ）を図１に示した。図１に示す通り、本発明の電熱ヒーター用基板（Ａ）は金属製平板（１）から成り、かつ、該金属製平板（１）は、その少なくとも一つの面に、互いに略平行な複数の溝（２）を備えている。また、金属製平板（１）は、互いに略平行な複数の溝（２）の長さ方向に沿って折り曲げ可能、即ち、人力又は簡便な治具により容易に折り曲げることができるものである。例えば、金属製平板（１）を人力で配管に押し付けることにより、配管に沿って容易に折り曲げることができる。これにより、例えば、加熱又は保温をする配管及び機器等に、金属製平板（１）を自在に巻き付けることができる。該金属製平板（１）としては、上記のように複数の溝（２）の長さ方向に沿って、容易に折り曲げ可能であると共に、熱伝導が良好である材質が選ばれる。通常、加工の容易さ及び価格等の観点から、好ましくはアルミニウム又はアルミニウム合金（例えば、ＪＩＡ  Ａ  ６０６３Ｔ１等）が使用される。該金属製平板（１）は、切削等の金属加工により製造することもできるが、特に好ましくは、押出成型により製造する。これにより、著しく製造コストを低減し得る。また、互いに略平行な複数の溝（２）は、その中に絶縁されたヒーター線をはめ込むことができるように形成されている。図２は、図１に示した電熱ヒーター用基板（Ａ）のＡ−Ａ断面図（ｂ）の部分拡大図である。互いに略平行な複数の溝（２）の断面、即ち、該溝（２）をその長さ方向に垂直な面で切断したときの溝の断面は、好ましくは、略Ｕ字形又は略半円形であり、より好ましくは、図１及び２に示すように略Ｕ字形である。該溝（２）の直径（３）、即ち、該溝（２）の断面の開口部の幅は、絶縁されたヒーター線をはめ込むことができればよく、通常、絶縁されたヒーター線の直径とほぼ等しいか又はやや小さい。やや小さめとすることにより、はめ込んだヒーター線の脱落を防止し得る。該溝の直径（３）は、好ましくは０．８〜５．０ｍｍの範囲から選ばれ、より好ましくは１．８〜２．８ｍｍの範囲から選ばれる。絶縁されたヒーター線としては、オリジナル製品を使用することもできるが、市販品を使用することが特に好ましい。市販品を使用することにより、とりわけ、絶縁されたヒーター線を特注する必要がなく、コスト低減を達成することができる。絶縁されたヒーター線の市販品としては、例えば、株式会社加島製マイクロヒーター等を使用することができる。また、一つの面に備えられる、互いに略平行な複数の溝（２）の直径（３）は、略同一であることが好ましい。これにより、基板（１）の製造を簡略化し得る。図３には、本発明の電熱ヒーター用基板を構成する金属製平板に備えられた互いに略平行な複数の溝（２）に絶縁されたヒーター線（４）をはめ込んだ状態の平面図（ａ）、及び、そのＢ−Ｂ断面図を示した。このように絶縁されたヒーター線（４）は、金属製平板に備えられた互いに略平行な複数の溝（２）中にはめ込まれる。図３においては、絶縁されたヒーター線（４）は全ての互いに略平行な複数の溝（２）中に嵌め込まれているが、もちろん、互いに略平行な複数の溝（２）の１本おき、又は、２本お��等、適宜、定めて嵌め込むことができる。
【００２４】
図４には、本発明の電熱ヒーター用基板の他の一実施態様の平面図（ａ）、底面図（ｂ）及びＣ−Ｃ断面図（ｃ）を示した。図４に示す通り、本発明の電熱ヒーター用基板（Ａ）は金属製平板（１）から成り、かつ、該金属製平板（１）は、その相対する二つの面、即ち、表裏面に、互いに略平行な複数の溝（２，２’）を備えている。また、金属製平板（１）は、上記と同様に、表裏面に備えられた互いに略平行な複数の溝（２，２’）の長さ方向に沿って、表裏面のいずれの側にも折り曲げ可能である。これにより、例えば、加熱又は保温をする配管及び機器等に、金属製平板（１）を自在に巻き付けることができる。また、互いに略平行な複数の溝（２，２’）は、その中に絶縁されたヒーター線をはめ込むことができるように形成されている。該金属製平板（１）の材質は上記と同様である。また、上記と同様に押出成型により製造することが好ましい。図５は、図４に示した電熱ヒーター用基板（Ａ）のＣ−Ｃ断面図（ｃ）の部分拡大図である。互いに略平行な複数の溝（２，２’）の断面は、上記と同じく、好ましくは、略Ｕ字形、略半円形であり、より好ましくは、図４及び５に示すように略Ｕ字形である。該溝（２，２’）の直径（３，３’）、即ち、該溝（２，２’）の断面の開口部の幅は、絶縁されたヒーター線をはめ込むことができればよく、通常、絶縁されたヒーター線の直径とほぼ等しいか又はやや小さい。上記と同様にやや小さいほうが好ましい。該溝の直径（３，３’）は、好ましくは０．８〜５．０ｍｍの範囲から選ばれ、より好ましくは１．８〜２．８ｍｍの範囲から選ばれる。この実施態様においては、金属製平板（１）の一の面、即ち、表面に備えられている互いに略平行な複数の溝（２）の直径（３）と、他の面、即ち、裏面に備えられている互いに略平行な複数の溝（２’）の直径（３’）は、互いに異なる。好ましくは、金属製平板の一の面に備えられている溝の直径（３）が、２．６〜２．８ｍｍであり、他の面に備えられている溝の直径（３’）が１．８〜２．０ｍｍである。これにより、加熱又は保温すべき配管及び機器等に必要な熱量に合わせて、いずれかの面又は両面を使用して加熱又は保温をすることができる。
【００２５】
本発明の電熱ヒーター用基板を構成する金属製平板の、複数の溝を備える面及びその反対側の面の形状は、好ましくは、四角形であり、より好ましくは、正方形、長方形であり、更に好ましくは長方形である。また、金属製平板（１）の厚さ（５）は、溝の高さ（深さ）（６，６’）、並びに、上記所定の材質で製造した際に、平板（１）が複数の溝の長さ方向に沿って折り曲げ可能であるか否か、その強度及び製造コスト等に依存して定められる。通常、図１に示したような一面のみに溝（２）を有する態様の電熱ヒーター用基板（Ａ）にあっては、金属製平板（１）の厚さ（５）は、溝の高さ（６）に加えて、好ましくは０．５〜２．０ｍｍ程度であり、図４に示したような表裏両面に溝（２，２’）を有する態様の電熱ヒーター用基板（Ａ）にあっては、金属製平板（１）の厚さ（５）は、一の面に備えられた溝の高さ（６）と他の面に備えられた溝の高さ（６’）の合計に加えて、好ましくは０．５〜２．０ｍｍ程度である。金属製平板（１）の厚さ（５）は、好ましくは２．０〜１２．０ｍｍ、より好ましくは３．０〜８．０ｍｍ、更に好ましくは４．０〜６．０ｍｍである。例えば、金属製平板の一の面に備えられている溝の直径（３）が、２．６〜２．８ｍｍであり、他の面に備えられている溝の直径（３’）が１．８〜２．０ｍｍであるときには、金属製平板（１）の厚さ（５）は、好ましくは４．８〜５．２ｍｍ程度である。
【００２６】
金属製平板（１）の、溝（２）に垂直な方向の全長（８）、即ち、金属製平板（１）の幅（８）は、通常、加熱又は保温する配管及び機器の寸法、例えば、配管径に依存して定められる。半導体製造装置等の配管では、通常、使用している配管径が限定される故、それに応じて、金属製平板（１）の幅（８）を定めることができる。金属製平板（１）の幅（８）は、好ましくは５０〜３００ｍｍ、より好ましくは７０〜２００ｍｍ、更に好ましくは９０〜１００ｍｍである。金属製平板（１）に備えられる互いに略平行な複数の溝の数には特に制限はなく、金属製平板（１）の幅（８）に応じて適宜定めることができる。通常、溝と溝とを隔てる部分の間隔が０．５〜３．０ｍｍ、好ましくは１．０〜２．０ｍｍ程度になるように定められる。また、金属製平板（１）は、金属製平板（１）の、複数の溝の長さ方向に略平行な端部（９）、即ち、金属製平板（１）の幅（８）方向の端部（９）で、金属製平板（１）同士を水平又は垂直方向に接続可能に形成されている。図６には、金属製平板（１）の一方の端部（９）と他方の端部（９’）の一実施態様を示した。図７には、図６に示した、夫々異なる端部を有する金属製平板を二枚（１，１’）用意し、これらを水平方向に接続したとき（ａ）と垂直方向に接続したとき（ｂ）の概略図を示す。これにより、複数の金属製平板（１，１’）を接続して幅方向の長さを任意の長さに調節することができると共に、例えば、機器類のかどの部分等を加熱又は保温する際に金属製平板（１）の方向を９０度変更することができる。また、金属製平板（１）の溝に水平な方向の全長（７）、即ち、金属製平板（１）の長さ（７）に特に制限はなく、好ましくは３，０００ｍｍ以下、より好ましくは１，５００〜２，５００ｍｍ、更に好ましくは１，９００〜２，１００ｍｍである。金属製平板（１）の長さ（７）は、加熱又は保温する配管及び機器等の長さに応じて適宜切断することができる。本発明の金属製平板（１）は、好ましくは４００℃以下の加熱及び保温に使用可能である。より好ましくは３００℃以下、更に好ましくは２２０〜２８０℃の加熱及び保温に使用可能である。２５０℃以下の低温で使用する際には、絶縁されたヒーター線（４）の絶縁能力が多少低いものであってもよく、また、２００℃以下の低温で使用する際には、金属製平板（１）の表面をアルマイト加工することにより金属製平板（１）自体に絶縁性を持たせることもできる。
【００２７】
次に、本発明の電熱ヒーター用基板を配管に取り付け、絶縁されたヒーター線をはめ込んで電熱ヒーターを配管に敷設する手順を簡単に説明する。まず、加熱又は保温する配管径に合わせて、かつ、加熱又は保温に必要なおおよその熱量を考慮して、所定寸法及び所定の溝直径を有する電熱ヒーター用基板（Ａ）及び絶縁されたヒーター線（４）を準備する。配管径が大きい場合、例えば、直径５０ｍｍ以上の配管には、それに合わせて複数の電熱ヒーター用基板（Ａ）を用意して、上記の図７（ａ）に示したように接続して使用することもできる。水平に接続して使用するとき、作業中に該接続部分が外れることがないように、例えば、図８に示したように固定具（１５）を使用して固定することもできる。もちろん、所定の熱量を与えることができれば、配管の全周を電熱ヒーター用基板（１）で覆う必要はない。電熱ヒーター用基板（１）の長さ（７）が長すぎる場合には、適切な寸法に切断する。次いで、図９に示すように、電熱ヒーター用基板（１）を溝の長さ方向に沿って折り曲げて、配管の周囲に巻き付ける。そして、このようにして巻き付けた電熱ヒーター用基板（１）の複数の溝（２，２’）に絶縁されたヒーター線（４）をはめ込む。この際、絶縁されたヒーター線（４）は、直接配管に接触する側の溝（２’）に嵌め込まれることが好ましい。また、絶縁されたヒーター線（４）は、配管に接触しない側の溝（２）に嵌め込まれていてもよく、あるいは、両側の溝（２，２’）に嵌め込まれてもよい。配管に接触しない側の溝（２）に嵌め込む際には、その上を、数ミリメートル、好ましくは１〜２ｍｍのアルミニウム又はアルミニウム合金の板で覆うこともできる。また、図１０に示すように、電熱ヒーター用基板の溝と溝とを隔てる部分（１６）を機械加工、例えば、フライスにより、適宜、取り除いて、絶縁されたヒーター線が電熱ヒーター用基板の外側へと突出することを回避することができる。これにより、ヒーター線の破損等を未然に防止することができる。また、電熱ヒーター用基板（Ａ）を折り曲げることなく使用したとき、電熱ヒーター用基板（Ａ）の複数の溝（２，２’）に絶縁されたヒーター線（４）をはめ込んだ後、図１１に示したようなヒーター線保護カバー（１０）を使用して、ヒーター線（４）が突出している端部（１３）を保護することもできる。これによりヒーター線の破損等を防ぐことができる。また、図１２には、電熱ヒーター用基板（Ａ，Ａ’）を直角方向に接続したときに使用するヒーター線保護カバー（１０’）を示した。次いで、その上を所定の保温材で覆い、固定具、例えば、固定バンド等で固定することにより作業が完了する。半導体装置等では、保温材は極力パーティクルの発生しない素材、例えば、フッ素樹脂繊維、芳香族ナイロン繊維等のカバーで覆われたものを使用することが好ましい。
【００２８】
図１３は、本発明のプレートヒーター（Ｂ）の一実施態様の断面を示す概略図である。図１３に示すプレートヒーター（Ｂ）は、例えば、図４に示した本発明の電熱ヒーター用基板（Ａ）の複数の溝（２，２’）に絶縁されたヒーター線（４，４’）をはめ込み、かつ、ヒーター線がはめ込まれている二つの面に密着するように、金属製平板（１４，１４’）を設置したものである。該金属製平板（１４，１４’）の材質は、好ましくは、アルミニウム又はアルミニウム合金製である。また、該金属製平板（１４，１４’）は、電熱ヒーター用基板（Ａ）の面とほぼ一致するように、電熱ヒーター用基板（Ａ）の面の幅及び長さとほぼ同一の寸法を有していることが好ましい。該金属製平板（１４，１４’）の厚さは、特に制限はなく、適宜定めることができるが、好ましくは２．０〜３０．０ｍｍ、より好ましくは５．０〜２０．０ｍｍである。
【産業上の利用可能性】
【００２９】
本発明の電熱ヒーター用基板は、複雑な配管、装置等の加熱及び保温に容易かつ適切に対応可能であることから、現場での取付け施工を著しく簡便化し得るばかりではなく、自体簡単な形状であることから、加熱及び保温に要する設計及び製造コストを著しく低減し得る。従って、複雑な配管、装置等の加熱及び保温を要求される分野、とりわけ、半導体製造分野等での使用が今後大いに期待される。また、本発明の電熱ヒーター用基板を使用して製造したプレートヒーターは安価である。従って、種々の配管、装置等の加熱及び保温に使用されることが期待される。
【符号の説明】
【００３０】
Ａ  電熱ヒーター用基板
Ｂ  プレートヒーター
１，１’  金属製平板
２，２’  溝
３，３’  溝の直径
４，４’  絶縁されたヒーター線
５  金属製平板の厚さ
６，６’  溝の高さ
７  金属製平板の、溝に水平な方向の全長（金属製平板の長さ）
８  金属製平板の、溝に垂直な方向の全長（金属製平板の幅）
９，９’  金属製平板の、溝の長さ方向に略平行な端部（金属製平板の幅方向の端部）
１０，１０’  ヒーター線保護カバー
１１  配管
１２，１２’  ヒーター線保護カバーのストッパー
１３，１３’  ヒーター線突出端部
１４，１４’  金属製平板
１５  基板接続部固定具
１６  溝と溝とを隔てる部分
１１０  電熱ヒーター
１２０  基材
１２１  固定糸
１３０  ヒーター線
１３１  ニクロム線
１３２  第１の被覆層
１３３  第２の被覆層
１４０  断熱材
１５０  カバー部材
【図１】
0005860234.tif 000002
【図２】
0005860234.tif 000003
【図３】
0005860234.tif 000004
【図４】
0005860234.tif 000005
【図５】
0005860234.tif 000006
【図６】
0005860234.tif 000007
【図７】
0005860234.tif 000008
【図８】
0005860234.tif 000009
【図９】
0005860234.tif 000010
【図１０】
0005860234.tif 000011
【図１１】
0005860234.tif 000012
【図１２】
0005860234.tif 000013
【図１３】
0005860234.tif 000014
【図１４】
0005860234.tif 000015
【図１５】
0005860234.tif 000016
【図１６】
0005860234.tif 000017